(57)【要約】【課題】特許文献１(実登3169402)に記載の発明品や、既に市販されている類似の携帯電子機器用拡声機は、完成品での音の経路の長さ、形状、材質の変更ができないため、ユーザーでの音質や形状の変更ができず、又、多種類の携帯電子機器の取り付けに対応ができない。【解決手段】  一端に取付口を設け、溝のあるブロックや板を複数個結合し管を形成した共鳴管本体と、音を拡声させる拡声部を組み付けて、携帯電子機器の音声を、拡声部から外部に拡声させることができる組立式携帯電子機器用拡声機としたことを特徴とする。溝は曲線と直線から成り、形成される管は、連続してつながる共鳴管となることを特徴とする。又、管を塞ぐことにより経路を可変に出来る。【選択図】図７
2018116250.tif 000002
【特許請求の範囲】
【請求項１】
共鳴管本体と、その共鳴管本体の一端に設けられた取付口と、他端に設けられた拡声部と、組みして成り、前記取付口に音声を発する携帯電子機器を取り付け、その音声を前記拡声部の開口部から外部に拡声させるための組立式携帯電子機器用拡声機であって、前記共鳴管本体が、複数のブロックや板の結合体から成って、そのブロックや板の少なくとも一つには連続した溝を設け、他のブロックや板を組み付け、合わせる事で、共鳴する連続した共鳴管を形成する共鳴管本体と成された、組立式携帯電子機器用拡声機。
【請求項２】
請求項1に記載の組立式携帯電子機器用拡声機において、前記ブロックや板の溝が曲線又は、曲線と直線から成る連続の溝となり、さらに前記ブロックや板で組み付け、合わせる事で形成される前記共鳴管において、同一の断面積となる管の合計の長さが、40mm以上の共鳴管となる事を特徴とする、組立式携帯電子機器用拡声機。
【請求項３】
請求項1又は2に記載の組立式携帯電子機器用拡声機において、複数の前記ブロックや板を、合わせる事で形成される共鳴管の経路が、3次元に成された組立式携帯電子機器用拡声機。
【請求項４】
請求項1乃至3にのいずれかに記載の組立式携帯電子機器用拡声機において、経路の異なる前記ブロックや板を選択し、その組合せ方により、形成される管の径、管の経路の長さ、管の材質を可変にできるように成された共鳴管本体となることを特徴とする、組立式携帯電子機器用拡声機。
【請求項５】
請求項1乃至4のいずれかに記載の組立式携帯電子機器用拡声機において、前記ブロックや板の溝により形成される管を塞ぎ、管の経路及び、連続する管の長さを可変にできるように成された組立式携帯電子機器用拡声機。
【発明の詳細な説明】
【背景技術】
【０００１】
スマートフォンや携帯情報端末等の携帯電子機器は、音楽再生用のプレーヤーとしても利用されているが、その音楽再生能力を上げることは、携帯電子機器の構造上限界がある。しかし、携帯電子機器の出力をアンプ等の電気機器を使用し増幅して聴くのでは、その携帯性の特質を損なってしまう。
そこで、優れた拡声効果を得ることができる拡声部材を有する外接式拡声部材付き保護スリーブが提案されている（特許文献１参照）
【先行技術文献】
【特許文献】
【０００２】
【特許文献１】実登3169402
【発明の概要】
【発明が解決しようとする課題】
【０００３】
特許文献１に記載の外接式拡声部材付き保護スリーブ(以下略して保護スリーブと記載)は、拡声部材を除く保護スリーブの形状が固定されており、音の経路の長さ、材質を変化することができない。その拡声部材についても、1個又は、2個の部材の結合体となっており、長さの変更ができない。
既に市販されている類似の携帯電子機器の音声を拡声する機器等についても同様に、完成形状の変更や部材の材質変更及び、完成品の音の経路の長さ変更ができない。
それでは、ユーザーでの音質の調整や、完成形状の変更ができず、又、形状及び寸法の異なる携帯電子機器の取り付けに対応できない。
【０００４】
又、それらの機器では、製品の完成形状を変化させ、体積を減らし持ち運ぶ時の携帯性を良くする、ということができない。
【０００５】
本発明の主な目的は、これらの課題を解決しながら、携帯電子機器から出力された音声を効率よく拡声する携帯電子機器用拡声機を提供することにある。
【課題を解決するための手段】
【０００６】
共鳴管本体と、その共鳴管本体の一端に設けられた取付口と、他端に設けられた拡声部とを組みつけて完成させ、前記取付口に音声を発する携帯電子機器を取り付け、その音声を前記拡声部の開口部から外部に拡声させるための組立式携帯電子機器用拡声機としたことを特徴とする。前記共鳴管本体が、複数のブロックや板の結合体から成って、そのブロックや板の少なくとも一つには連続した溝を設け、他のブロックや板を組み付け、合わせる事で、共鳴する連続した共鳴管を形成する共鳴管本体と成されたことを特徴とする。
組み付けられた前記拡声部は開口部に向けてメガホン形状又はホーン形状等の末広がりの管となっており、前記共鳴管本体のブロックや板は選択して組み付けることが出来、連続した溝の幅及び形状を変化させたブロックや板を選択して組み付ける事で、前記共鳴管本体の長さ、径、材質、形状等を可変に出来るようにしたことを特徴とする。
そのことにより、ユーザーで形状、材質を変化させ、様々な音質への変更、様々な携帯電子機器の取り付け、設置方法等に対応することが可能となる。又、ユーザー自ら変化を楽しむことができるようになる。
【０００７】
前記、組立式携帯電子機器用拡声機において、前記ブロックや板の溝が曲線又は、曲線と直線から成る連続の溝となり、さらに前記ブロックや板で組み付け、合わせる事で形成される前記共鳴管において、同一の断面積となる管の合計の長さが、40mm以上の、連続してつながる共鳴管となる事を特徴とする。
それにより、拡声をする前に、共鳴管内部で音質を変化させることが可能となる。
【０００８】
前記、組立式携帯電子機器用拡声機において、複数の前記ブロックや板を、合わせる事で形成される共鳴管の経路が、3次元に成された事を特徴とする。それにより、前記ブロックや板で形成される管は、自由に長さ、曲がりの角度等設定できるため、形成される溝は平面上だけでなく、立体形状とすることも可能となり、本体形状の自由度が大幅に広がる。
【０００９】
前記ブロックや板の組合せ方により、形成される管の径、管経路の長さ、材質を可変にできるように成されたことを特徴とする。
前記共鳴管本体のブロックや板の溝は、長さ、曲がりの角度、径、材質等のさまざまな種類を設定し、選択し、組み付けることができることを特徴とする。
例えば、材料に木材や紙、発泡材等を使用した場合は、高音部を吸収し、低音部が強調され、金属等の硬質の材質を使用した場合は、高音部が吸収されずそのまま出力されるなど、材質の変更による音質の変化をユーザーが楽しむことができる。又、複数のブロックや板を組合せ、長さを変化させることで、共鳴する周波数を変化させるなど、その組み合わせる内容により、音質を変化させることが可能となる。
【００１０】
前記組立式携帯電子機器用拡声機において、前記ブロックや板の溝により形成される管を塞ぎ、音の経路や、その経路の長さを可変にできるように成された事を特徴とする。塞ぐ材料は問わず又、塞ぐ位置も自由に可能なため、ユーザー自ら管経路を設定し、又、管の長さを調節する事で、音質を自由に調整することが出来る。
【発明の効果】
【００１１】
本発明により、
前記共鳴管本体のブロックと板の溝の長さ、曲がりの角度、径、材質等の種類と数を選択して組み付けることが出来る、共鳴管本体とすることで、ユーザー側で、いつでも好きな音質、形状に作り変えることができる。更に、ユーザー側で、共鳴管本体の一部又は全部を独自にいろいろな材質、形状にアレンジすることが可能となり、製品が独自に発展していく可能性がある。さらに、スピーカーからの音声を漏れなく内部に取り込む構造としているので、拡声の効果を最大限発揮できる。
【００１２】
又、前期組立式携帯電子機器用拡声機の各パーツを外す事で、携帯性を良くすることができる。
【００１３】
又、前記音声を導入するための取付口の異なるブロックや板を選択して組み付ける事で、機種の違いや、保護カバーの有る無し等、外形寸法の異なる携帯電子機器でも、取り付けることが可能となる。
【００１４】
ユーザーが溝で形成される管を自由に塞ぎ、音の経路及び、その長さを可変にできるように成された事で、ユーザーが自由に音質を変化させる事が出来る。又、塞ぐ部材の材質を問わないため、柔軟性の違いにより、さらに調整できる音質の幅が広がる。
【００１５】
これらの効果を発揮しながら、携帯電子機器から出力された音声を効率よく拡声する組立式携帯電子機器用拡声機を提供することが出来る。
【図面の簡単な説明】
【００１６】
【図１】組立式携帯電子機器用拡声機の全体斜視図である。
【図２】組立式携帯電子機器用拡声機の携帯付の全体斜視図である。
【図３】組立式携帯電子機器用拡声機を主要部材別に分解した斜視図である。
【図４】溝の管経路を変更した例の斜視図である。
【図５】溝の組合せの断面図及び説明のための斜視図である。
【図６】立体的な溝にした場合の斜視図である。
【図７】立体的な溝にした場合に携帯を取り付けた場合の全体斜視図である。
【図８】立体的な溝にした場合の部材図の斜視図である。
【図９】溝で形成された管の経路を図示した斜視図である。
【図１０】溝の管路を変更した場合の斜視図である。
【図１１】溝の管路を自由に塞いで使う場合の斜視図である。
【図１２】溝の管路を自由に塞いで使う場合の音の経路の斜視図である。
【図１３】音の取り入れ口の断面図である。
【図１４】組み付け方法の説明の斜視図である。
【図１５】立体的にした場合に横置きにした場合の斜視図である。
【図１６】拡声部の展開図と斜視図である。
【発明を実施するための形態】
【００１７】
以下、本発明の実施の形態を図面に基づいて説明する。
第一実施例
図1は、本発明を適用した組立式携帯電子機器用拡声機200(以下、拡声機200と称する)の斜視図である。
【００１８】
図2は音声を発する携帯電子機器100(以下、携帯100と称する)を取り付けた状態の拡声機200の斜視図である。
【００１９】
図3は、拡声機200を、共鳴管本体の部材と拡声部分に分解した斜視図である。共鳴管本体300は、ブロック310と板材320を組み合わせたものであり、拡声部500を組み付けて、拡声機200となる。ブロック310にはS字の溝があり、板材320と組み合わせることで共鳴する管を形成する。携帯電子機器を取付口320-Aに取付け、その音を音導入穴320-A1から内部に音を導入し、共鳴管入口310-AからS字の溝で形成された管を通り、共鳴管出口310-Bから、音出口320-C、拡声部500の拡声部の音入口500-A、拡声部の音出口500-Bを通り、拡声された音が外部に放出される。
【００２０】
図4は、共鳴管本体の溝か゜ある部材について、溝の形状を変更して形成される管の経路を変更し、管の経路の長さを変えた場合の例である。図4-1は、S字にした場合、図4-2はL字にした場合、図4-3は底の部分を別部材とした場合、図4-4は各溝がつながり、形成される管をユーザーが塞ぎ、管経路を自由に変更できる場合の例である。例えばブロック330の330Aと330Dの位置を、管を塞ぐ部材 320-Dて゜塞いだ場合、図4-4Aに示すS字型の溝となり、330-Bと330-Cの位置を塞げば、図4-4Bに示すL字の溝となる。分かりやすいように、出来た溝形状を網掛けで図示する。形成される管の形状及び径は一例として示したものであり、形状及び径は自由とする。
【００２１】
図5に、数種類の溝を図示する。図5-A1と図5-A2が板材とブロックの組合せで、図5-A1が角型、図5-A2が一部丸型である。図5-B1と図5-B2がブロックとブロックの組合せで、図5-B1が角型、図5-B2が丸型である。図5-C1と図5-C2が板材と板材の組合せで、図5-C1が板材を角型の溝に成型した場合で、図5-C2が板材を丸型の溝に成型した場合である。図5-D1と図5-D2が板材と板材の組合せで、図5-D1が板材を角型の溝に成型して淵がない場合で、図5-D2が板材を丸型の溝に成型して淵のない場合である。図5-D1と図5-D2は組み合わせると、単純な管形状となる。分かりやすくするため、図5-C2を共鳴管本体とした場合を図5-C22に図示し、図5-D2を共鳴管本体とした場合を図5-D22に図示する。これらは一例として示したものであり、形状及び板、ブロックの厚みは任意に選択することが出来る。
【００２２】
第二実施例
図6に第二実施例として、溝形状を立体的にした場合の拡声機220を図示する。
【００２３】
図7に携帯を組付けた場合の拡声機220を図示する。
【００２４】
図8は、立体的な溝にした場合の各部材を図示している。共鳴管本体332の構成部品である、ブロックAの332-A、ブロックBの332-B、ブロックCの332-C、ブロックDの332-Dを組み付けて共鳴管本体332を立体的に形成する。ブロックAの音取り入れ口332-1に携帯100を差し込む構造となっている。ブロックAの音取り入れ口332-1は便宜的に形状を設定しているものであり、携帯100の機種により、様々な形状を設定することが出来る。
又、 ブロックの音出口332-2は、拡声部520が取付けやすい形状を一例として示したものであり、図8-Aの円内に図示したブロックの音出口332-2Aと拡声部520Aの組合せとしても良い。拡声部と共鳴管本体が組み付けができれば、形状は問わない。
【００２５】
図9に、図8で図示した複数のブロックで組み合わされ形成される管の経路を分かりやすくするため、管の経路332-Fを立体的に図示する。ブロックAの音取り入れ口332-1から音を入れ、溝の組合せにより形成された立体的な管の中を通り、最終的に調質、共鳴された音がブロックの音出口332-2から出てくる。立体的に経路が成されることにより、体積を有効に活用に、コンパクトに製品を作ることが出来る。
【００２６】
図10に、共鳴管本体のパーツであるブロックを変更し、管の経路を変更した場合の部材を図10-Aと図10-Bに図示している。図8で説明したブロックBの332-B、ブロックCの332-Cを図10-Aの通り、ブロックB1の332-B1、ブロックC1の332-C1に変更することで、管の経路332-F1となり、図10-Bの通り、ブロックBの332-C、ブロックCの332-DをブロックC2の332-C2、ブロックD2の332-D2に変更することで、管の経路332-F2とすることが出来る。前記の通り、部材を変更することで容易に音の経路を変更する事が出来る。
【００２７】
第三実施例
図11に、第三実施例として、溝で形成される管を自由に塞いで、管の経路を変更できるようにした場合を例として図示している。図8の説明と同様に、共鳴管本体335は、ブロックAの335-A、ブロックBの335-B、ブロックCの335-C、ブロックDの335-Dで構成される。溝で形成される管を塞ぐ部材335-Gを特定の箇所で塞ぐ事で、任意の音の経路に変更することが出来る。
【００２８】
図12に、図11の場合の音の経路を分かりやすくするため、立体的に図示する。管経路をブロックごと交換することなく、塞ぐ部材335-Gのみ組み付けるだけで、立体的に、自由に簡単に経路変更が可能である。さらに、塞ぐ部材335-Gは、材質、形状は自由であり、ユーザーで用意することが可能なため、部材の汎用性が高く、経済的である。塞ぐ場所、塞ぐ事により変化する形状の説明、効果等は前記図4で説明している内容と同様のため説明を省略する。
【００２９】
図13に音の取り入れ口の断面図を図示している。図13-Aが図1で説明した第一実施例の場合の音の取り入れ口の形状であり、図13-Bが図6で説明した第二実施例の立体的にした場合の音の取り入れ口を図示している。図13-Aに示す通り、取付口320-Aの音導入穴320-A1に、携帯電子機器100のスピーカー部105を、図13-Aの下段に図示したように組み付け、共鳴管本体に音を取り入れる。図13-Bに示す通り、ブロックA332の音取り入れ口332-1に挿入し、図13-Bの下段に図示したように組み付け、共鳴管本体に音を取り入れる。どちらも、スピーカー部105に沿う形状であれば良い。形状や方法は例として示したものであり、スピーカー部105に沿う形状であれば、形状、材質は問わない。
【００３０】
図14に各部材の取付方法を示す。図14-Aは、ブロックの穴332-Hにブロックのピン332-Pを挿入して組み付けて共鳴管本体とする場合を図示している。他のピン、穴に番号を記入していないが、同様であり、分かりやすくするため図示を省略している。図14-Bは固定ボルト360とナット365で共鳴管本体を締結する場合を図示している。なお、図14-Bは、ボルトとナットを参考のため1セット図示しており又、貫通穴も一カ所のみ番号を記入しているが、他も同様のため、図示及び番号の記入を省略している。これらは繋ぎ方は1例として図示しており、その他、接着、熔着等、組み付けできれば、組み付け方法は問わない。
【００３１】
図15に立体的な溝にした場合の拡声機220を横置きにした場合を図示している。図7で図示した拡声機220を立てて置いた場合は、設置面積を小さくすることが出来るメリットがあり、横置きにした場合は、拡声部の音出口500-Bを人に向けて聞く事ができるため、音を効率良く大きく感じる事が出来る。これらは携帯100の置き方、入れ方の1例として示したものであり、入れ方や置き方は様々に変更する事が可能である。
【００３２】
図16に、拡声部の展開図と、その組立た場合の斜視図を示す。図16-Aは扇形に展開した場合の図面で、両側に穴を設け組み付けて固定できるようにしている。図16-Bに組み立てた場合の斜視図を示している。 
拡声部留め用の穴500-Hに、拡声部の留め具500-Sを挿入して固定する構造となる。前記留め具500-Sは、図16-Cの円内の断面図の構造となり、挿入してロックできるようになっている。その他も同様の固定となるため図示を省略する。ここに図示した拡声部の製作方法は一例として示したものであり、熔着、接着、一体成型等、メガホン又はラッパ形状で、拡声できれば組立、製作方法、材質は問わない。
【実施例】
【００３３】
例えば、図2の完成形状は、シンプルな形状でありながら、溝で形成される管の経路を変更する事で音質を調整しながら、携帯100から出る音を拡声することが出来る。
【００３４】
例えば、第二実施例の図5の場合は、設置スペースをより小さくしたい場合に適用することができ、画面を見ながら拡声することができるため、動画や写真を見ながら、音楽等、拡声することができる。
【００３５】
例えば、第三実施例の図10の場合は、溝で形成される管の経路を塞ぐことで自由に変更することが出来、好みの音に調整することが出来る。さらに、塞ぐ部材の材質はユーザー自ら選択、作成することが出来るので、音質の調整の自由度がさらに高まる。
【産業上の利用可能性】
【００３６】
本発明品は、音の経路及び長さ、溝で形成される管の径、部材の材質等を任意に変化させることができるため、ユーザー自らが自由に音質を調整、変化させることができる。例えば、金属等の固い材質であれば、硬く強い音、木材や紙であれば、柔らかい音を出す等、材質の変化でも音質を変化させることが可能となり、シンプルな形状でありながら、ユーザー自らが、自由に発想を広げ、様々な形態へと進化、発展させていく可能性がある。
【００３７】
本発明品は、部材の一部を変更すれば、様々な携帯100に対応することができるため、汎用性が高い製品になっている。
シンプルな形状でありながら、既に一般的に広く個人に普及している様々な種類の携帯電子機器をそのまま接続、活用することが出来る。
【符号の説明】
【００３８】
携帯電子機器                100  (携帯100)
電源又はUSBケーブル        120
組立式携帯電子機器用拡声機  200  (拡声機200)
組立式携帯電子機器用拡声機  220  (拡声機220)
共鳴管本体    300
ブロック          310
共鳴管入口      310-A
共鳴管出口          310-B
板材           320
取付口          320-A
音導入穴        320-A1
音入口          320-B
音出口          320-C
管を塞ぐ部材     320-D
ブロック         330
ブロックの管を塞ぐ箇所  330-A
ブロックの管を塞ぐ箇所  330-B
ブロックの管を塞ぐ箇所  330-C
ブロックの管を塞ぐ箇所  330-D
共鳴管本体      332
ブロックA        332-A
ブロックB        332-B
ブロックC        332-C
ブロックD        332-D
管の経路    332-F
ブロックB1      332-B1
ブロックC1      332-C1
管の経路    332-F1
ブロックB1      332-C2
ブロックC1      332-D2
管の経路    332-F2
共鳴管本体        335
ブロックA        335-A
ブロックB        335-B
ブロックC        335-C
ブロックD        335-D
管の経路      335-F
管を塞ぐ部材     335-G
ブロックAの音取り入れ口  332-1
ブロックの音出口           332-2
ブロックの音出口           332-2A
携帯電子機器のスピーカー部    105  (スピーカー部105)
ブロックのピン      332-P
ブロックの穴        332-H
固定ボルト        360
ナット        365
ブロックの貫通穴   367
拡声部          500
拡声部          520
拡声部          520A
拡声部の音入口  500-A
拡声部の音出口  500-B
拡声部の留め具  500-S
拡声部留め用の穴  500-H
【図１】
2018116250.tif 000003
【図２】
2018116250.tif 000004
【図３】
2018116250.tif 000005
【図４】
2018116250.tif 000006
【図５】
2018116250.tif 000007
【図６】
2018116250.tif 000008
【図７】
2018116250.tif 000009
【図８】
2018116250.tif 000010
【図９】
2018116250.tif 000011
【図１０】
2018116250.tif 000012
【図１１】
2018116250.tif 000013
【図１２】
2018116250.tif 000014
【図１３】
2018116250.tif 000015
【図１４】
2018116250.tif 000016
【図１５】
2018116250.tif 000017
【図１６】
2018116250.tif 000018